(57)【要約】【課題】  金属で被覆された電池にＩＣタグを装着して製造、流通、使用及び使用済み後に必要な情報を電池に記録する。【解決手段】  電池２の封口板２２上に絶縁樹脂による台座２３ａを設け、台座２３ａ上にＩＣタグ１を装着する。【選択図】  図１
2006324074.tif 000002
【特許請求の範囲】
【請求項１】
電池にＩＣタグを装着し、このＩＣタグに電池の製造、流通、使用及び使用済み後の分別回収に必要な任意情報が記録されてなることを特徴とする電池に対する情報記録方法。
【請求項２】
電池の外面にオンメタル型ＩＣタグを装着してなることを特徴とする電池に対する情報記録装置。
【請求項３】
電池の外面に絶縁物によって形成された台座を設け、前記台座にＩＣタグを装着してなることを特徴とする電池に対する情報記録装置。
【請求項４】
台座は、封口板に設けられた正極又は負極の端子を封口板と絶縁するガスケットの延出部位である請求項３に記載の電池に対する情報記録装置。
【請求項５】
台座は、封口板上又は電池缶の底面に配設された絶縁板である請求項３に記載の電池に対する情報記録装置。
【請求項６】
電池の外周面に形成した凹部に、アンテナ部分が外周面と面一近傍となるようにＩＣタグを配設してなることを特徴とする電池に対する情報記録装置。
【請求項７】
外周面を被覆する外装ラベル内面の凹部に対応する位置にＩＣタグが貼着されてなる請求項６に記載の電池に対する情報記録装置。
【請求項８】
発電要素を収容した電池缶の開口部を封口する封口板と所定間隔を隔てて封口板上に配設された絶縁板にＩＣタグが装着されてなることを特徴とする電池に対する情報記録装置。
【請求項９】
電池缶を第１アンテナとし、電池缶を被覆する絶縁樹脂製の外装ラベルに金属膜によって第２アンテナを形成し、第１及び第２の各アンテナに接続したＩＣチップによりＩＣタグが構成されてなることを特徴とする電池に対する情報記録装置。
【請求項１０】
複数の円筒形電池を並列配置し、少なくとも高さ方向の両端側を正極端子及び負極端子を外部露出させて絶縁被覆して複数電池が一体化されてなるパック電池における電池並列配置間の凹部に、ＩＣタグが装着されてなることを特徴とする電池に対する情報記録装置。
【請求項１１】
電池に装着したＩＣタグを構成するＩＣチップに、その動作電力を電池から供給するように構成されてなる請求項２〜１０いずれか一項に記載の電池に対する情報記録装置。
【請求項１２】
電池からＩＣチップへの電力供給は、リーダ／ライタからのアクセス電波の入力により電力供給線路がＯＮとなるように構成されてなる請求項１１に記載の電池に対する情報記録装置。
【発明の詳細な説明】
【技術分野】
【０００１】
本発明は、電池に製造、流通、使用等に必要な情報、更には電池が使用済みとなった後に回収、リサイクルされるときに必要な情報などを記録することを可能にする電池に対する情報記録方法及びその装置に関するものである。
【背景技術】
【０００２】
二次電池の多くは電池パックや組電池として複数の電池を組み合わせた状態で使用されるが、このとき同一種類の電池であっても特性にばらつきがあるので、特性が揃った電池を組み合わせることが望ましい。電池の特性は、製造年月日や製造内容、初期充放電、出荷時充放電などによってばらつきが生じるのが通常なので、電池個々に電池特性が記録されていると、二次電池を用いた装置製造の便を向上させることができる。
【０００３】
また、電池の種類は多く、乾電池などの一次電池から二次電池まで多様な種類のものが使用されている。これらの電池が使用済みとなったときには回収してリサイクルすることにより、廃棄物の発生抑制と資源の有効な利用を図る上で重要である。乾電池などの一次電池については経済的、効率的なリサイクル技術が確立されていないことから現状では一般廃棄物として多くが処理されている。二次電池については、資源有効利用促進法により回収及びリサイクルが義務付けられている。回収リサイクルの対象となる小型二次電池は、ニッケルカドミウム蓄電池、ニッケル水素蓄電池、リチウムイオン二次電池、小型シール鉛蓄電池となっている。これらの小型二次電池は、その多くが家電製品や事務機器、通信機器、防災機器などに電池パック、組電池、基板実装などの形態として機器に組み込まれており、機器の修理、保守、廃棄時に使用済み電池として取り出される。また、乾電池と互換性のあるニッケル水素蓄電池では、それが使用済みとなったとき乾電池と同じルートで廃棄処分されていることもあるので、乾電池中から分別する必要がある。回収された小型二次電池は、カドミウム、鉛などの有害物質を含む電池や、コバルト、リチウムなどの希少金属や金、白金などの貴金属を含む電池があり、確実に回収して有害物質を適正処理すると共に有用金属のリサイクルを図る必要がある。しかし、電池の分別回収ルートは確率されておらず、様々な種類の電池が混在した状態で回収されてくるのが多い実状にある。このような様々な種類の電池が混在している状態から電池を種類別、更には使用されている材料、組成別に分別するためには、個々の電池に分別に必要な情報が記録されていることが要求される。例えば、リチウム二次電池は基本的にリチウムを活物質として用いているもののコバルト系、マンガン系など多様な品種が存在する。
【０００４】
また、電池は電解液に腐食性物質を含むものを使用しているものや、発火の可能性がある材料を用いているものがあるため、輸送時の安全を配慮することが求められており、国連勧告に基づく危険物リストに該当する電池は輸送が規制されている。一般に広く普及し、通常の取扱いにおいて安全が確認されているものについては、定められた要件を満足する場合には輸送規制から免除されるが、輸送する電池が規制対象のものであるかを識別する必要があり、定められた要件を満たしているかが確認される。また、ＥＵが電気・電子製品に求める環境規制「ＲｏＨＳ指令」により有害６物質を含む製品のＥＵ内での販売を禁止する方向にあり、カドミウムや水銀などを含む電池も規制対象となる。従って、電池の組成中に有害物質が含まれていないことを表示することが要求される。
【０００５】
電池に電池特性や使用材料などの情報を記録する手段として、電池の外装にバーコードや識別パターンによって表示したものが知られている（特許文献１参照）。この電池では、様々な材料組成によって多くの種類が存在するリチウム二次電池を識別するために、電池缶の外装に識別パターンにより使用上で必要な情報と共に、電解液や負極、正極、電池缶の材料に関する情報を記録しているので、間違った使用方法による故障や事故の防止に加えて使用済みとなって廃棄された後に環境影響性の高い物質やリサイクルできる材料を含む電池に分別することが可能としている。
【特許文献１】特開平１１−０３１４８５号公報
【発明の開示】
【発明が解決しようとする課題】
【０００６】
しかしながら、電池の外装に識別パターンによって記録できる情報量には限界があり、電池特性のように情報量の多いデータを記録するのに不適である。また、情報量が増加するに従って読み取り解読が困難になる課題もある。
【０００７】
また、電池缶の外装にバーコードや識別パターンによって情報を記録したとき、電池が使用済みとなって回収、リサイクルに移行されたとき、使用済み電池では汚れやキズによって情報が正確に読み取れない場合が発生する課題がある。
【０００８】
また、大量に発生する使用済み電池から電池個別に記録情報を迅速に読み取ることが困難であり、電池の向きによっては読み取り不可能となる場合も少なくない。
【０００９】
本発明が目的とするところは、電池の使用上に必要な情報や使用済みとなって分別回収されるときに必要な情報記録量を大きくすると共に記録された情報の読み取りを迅速且つ安定して実施できるようにした電池に対する情報記録方法及びその装置を提供することにある。
【課題を解決するための手段】
【００１０】
上記目的を達成するための本願第１発明に係る電池に対する情報記録方法は、電池にＩＣタグを装着し、このＩＣタグに電池の製造、流通、使用及び使用済み後の分別回収に必要な任意情報が記録されてなることを特徴とする。
【００１１】
上記情報記録方法によれば、電池に装着したＩＣタグに当該電池に関する所要の情報を記録することができるので、任意の情報を充分な記録容量で書き込むことができる。従って、必要に応じて記録された情報を非接触で読み出すことにより製造、流通、使用に有効利用することができる。また、ＩＣタグに情報記録しているので、電池が使用済みとなったときに汚れやキズによって情報の読み取りが不可能になることがなく、電池の種類や使用材料に関する情報から使用済み電池を分別し、有用金属の回収や有害物質の処理を行うことができる。
【００１２】
また、本願第２発明に係る電池に対する情報記録装置は、電池の外面にオンメタル型ＩＣタグを装着してなることを特徴とする。電池はほぼ全周が金属によって被覆されているため、通常のＩＣタグが備えるアンテナに対する電磁波の送受信に悪影響が生じるので、金属上に装着可能であるオンメタル型ＩＣタグを装着することにより、ＩＣタグのアクセスにおける金属の影響が軽減される。
【００１３】
また、本願第３発明に係る電池に対する情報記録装置は、電池の外面に絶縁物によって形成された台座を設け、前記台座にＩＣタグを装着してなることを特徴とする。電池はほぼ全周が金属によって被覆されているため、通常のＩＣタグが備えるアンテナに対する電磁波の送受信に悪影響が生じるので、絶縁物による台座上にＩＣタグを装着することによりＩＣタグが有するアンテナに対する金属の影響が緩和され、ＩＣタグとリーダ／ライタとのアクセス距離を大きくすることができる。
【００１４】
上記構成における台座は、封口板に設けられた正極又は負極の端子を封口板と絶縁するガスケットの延出部位として構成することにより、ＩＣタグを装着するために別途部材を設ける必要がない。また、台座は、封口板上又は電池缶の底面に配設された絶縁板を利用することができ、別途部材を設けることなく電池にＩＣタグを装着することができる。
【００１５】
また、本願第４発明に係る電池に対する情報記録装置は、電池の外面に形成した凹部に、アンテナ部分が外周面と面一近傍となるようにＩＣタグを配設してなることを特徴とする。電池の金属面にＩＣタグを装着しても、アンテナが外周面と面一近傍にあれば、アンテナに対する金属の影響を軽減させることができる。
【００１６】
電池の外周面に形成した凹部にＩＣタグを配設するとき、外周面を被覆する外装ラベル内面の凹部に対応する位置にＩＣタグを貼着するのが好適な手段となる。外装ラベルの内面は電池の外周面と面一となるため、外装ラベル内面の凹部に対応する位置にＩＣタグを貼着すると、外装ラベルに金属蒸着等の手段により形成したアンテナをＩＣチップに接続することも可能であり、金属面との離隔距離を確保することもできる。
【００１７】
また、本願第５発明に係る電池に対する情報記録装置は、発電要素を収容した電池缶の開口部を封口する封口板と所定間隔を隔てて封口板上に配設された絶縁板にＩＣタグが装着されてなることを特徴とする。本構成によれば、金属製である封口板から離隔した位置にある絶縁板にＩＣタグを装着しているので、金属によって被覆されている電池にＩＣタグを装着しても金属による影響を軽減することができる。
【００１８】
また、本願第６発明に係る電池に対する情報記録装置は、電池缶を第１アンテナとし、電池缶を被覆する絶縁樹脂製の外装ラベルに金属膜によって第２アンテナを形成し、第１及び第２の各アンテナに接続したＩＣチップによりＩＣタグが構成されてなることを特徴とする。電池は一般的に金属製の電池缶に発電要素を収容して電池缶を封口し、電池缶の外周面に絶縁樹脂製の外装ラベルで被覆されている。この外装ラベルに金属膜によって第２アンテナを形成すると、外装ラベルを絶縁層として電池缶を第１アンテナとする静電結合方式によるＩＣタグを構成することができる。従って、金属で被覆された電池であってもリーダ／ライタと静電結合によりアクセスが可能となる。
【００１９】
また、本願第７発明に係る電池に対する情報記録装置は、複数の円筒形電池を並列配置し、少なくとも高さ方向の両端側を正極端子及び負極端子を外部露出させて絶縁被覆して複数電池が一体化されてなるパック電池における電池並列配置間の凹部に、ＩＣタグが装着されてなることを特徴とする。高い電圧を要求する機器に対応させるために複数の円筒形電池を直列接続して１個の電池として構成されたパック電池においては、円筒形電池の並列配置間の凹部は容積が大きいので、絶縁物を介して凹部にＩＣタグを装着すると、金属の影響を抑制したＩＣタグ装着が実現される。
【００２０】
上記各構成において、電池に装着したＩＣタグを構成するＩＣチップに、その動作電力を電池から供給するように構成することにより、ＩＣタグの作動電力を電池からえることができ、金属によって被覆された電池に装着されてリーダ／ライタとのアクセス距離が減少する状態を駆動電力の増大によって補うことができる。この電池からＩＣチップへの電力供給は、リーダ／ライタからのアクセス電波の入力により電力供給線路がＯＮとなるように構成するのが好適で、電池電力の無駄な消費を削減することができる。
【発明の効果】
【００２１】
本発明に係る電池に対する情報記録方法によれば、電池に装着したＩＣタグに所要の情報を記録することができるので、電池の製造から流通、使用に至る過程で必要に応じて必要な情報を読み出すことにより電池管理や仕分け等に有効に利用できる。また、電池が使用済みとなったときにはＩＣタグに記録された情報から種類別あるいは使用材料別に分別して有用金属の回収や有害物質の無害化処理などを的確に実施することができる。
【００２２】
また、本発明に係る電池に対する情報記録装置によれば、金属によってほぼ全周が被覆されている電池にＩＣタグを装着してもリーダ／ライタとのアクセスが可能となり、電池の製造、流通、使用、使用済み後の分別回収に至る所要情報を記録することができる。
【発明を実施するための最良の形態】
【００２３】
以下、添付図面を参照して本発明の実施形態について説明する。本実施形態は、電池個々にＩＣタグを装着し、ＩＣタグにその電池の製造、流通、使用及び使用済み後の回収リサイクルに必要な任意情報を記録し、所要拠点においてＩＣタグから情報を読み出すことにより、電池の製造、流通、使用及び使用済み後の分別回収の用に供することができるようにしたものである。
【００２４】
図１及び図２は、第１の実施形態に係る電池に対する情報記録装置の構成を示すもので、電池の封口板上に設けた絶縁樹脂製の台座上にＩＣタグを装着し、金属上に直接的にＩＣタグを装着した場合の金属による影響を軽減させている。
【００２５】
図１は角形のリチウムイオン二次電池２にＩＣタグ１を装着した状態を示しており、発電要素を収容した有底角筒形の電池缶２１の開口部を封口する封口板２２上に設けられた台座２３ａ上にＩＣタグ１を装着している。前記封口板２２は、その周囲で電池缶２１にレーザ溶接され、中央部分に樹脂製のガスケット２３により封口板２２と絶縁して負極端子（又は正極端子）２４が設けられ、前記ガスケット２３の延長部分を台座２３ａとしている。
【００２６】
図２（ａ）は、円筒形のリチウムイオン二次電池３にＩＣタグ１を装着した状態を断面図で示しており、発電要素を収容した有底円筒形の電池缶３１の開口部をガスケット３３を介して封口する封口板３２上に樹脂製の台座３５を設け、前記台座３５上にＩＣタグ１を装着している。前記封口板３２の中央部には正極端子（又は負極端子）３４が突出形成されており、台座３５はその上面が正極端子３４の頂部より下となる厚さに形成されている。
【００２７】
また、円筒形のリチウム電池では、図２（ｂ）に示すように、封口板３２上に上絶縁板２９が、電池缶の底面に下絶縁板３０が配設されているので、上絶縁板２９の場合では、その内側にＩＣタグ１を取り付けると、金属性である封口板３２との離隔距離を確保することができ、下絶縁板３０の場合では、下絶縁板３０の厚さを可能な限り厚く形成して金属面からの離隔距離を確保し、それにＩＣタグ１を装着すると、金属の影響を緩和させて電池にＩＣタグ１を装着することができる。なお、上絶縁板２９、下絶縁板３０は熱収縮性のタック性を有する外装ラベル４により固定される。
【００２８】
電池の多くは上記実施例に示すように、ほぼ全周が金属によって被覆されており、金属製の封口板２２，３２の上にＩＣタグ１を直接装着すると、リーダ・ライタからのアクセス電波が金属の影響を受けて充分な通信距離を確保することが困難になる。特に、ＩＣチップの作動電力をリーダ・ライタからのアクセス電波よりアンテナに誘起される誘起起電力に求めているパッシブタグの場合、誘起起電力はＩＣチップの作動電力より大きくなければならない。そこで、上記構成のように金属製である封口板２２，３２の上に樹脂製の台座２３ａ，３５を配し、その上にＩＣタグ１を装着することによってアクセス電波が金属に影響されることを緩和することができる。
【００２９】
電池の外形寸法には規制があるので、台座２３ａ，３５の厚さを自由に選択することはできないが、上記実施例の場合では封口板２２，３２上に形成された負極端子２４又は正極端子３４の頂部位置より外方に突出しない程度の厚さに設定する。台座２３ａ，３５の厚さが確保できない場合は、オンメタル型のＩＣタグ１を装着するのが好適である。
【００３０】
オンメタル型のＩＣタグ１は、金属と接触する面にアモルファスシートを配したものや、ＩＣタグのアンテナ部上にアモルファス磁性体シートを配したものなどが知られており、これらのオンメタル型のＩＣタグ１は金属によって被覆されている電池に装着するのに好適である。
【００３１】
上記したＩＣタグ１の装着位置は、角形電池又は円筒形電池の封口板上としているが、図２に示すように、円筒形電池では電池缶３１の開口部を封口板３２によって封口する場合に、電池缶３１の開口部側の周面に内側に向けて凹部３６が形成され、封口板３２によりガスケット３３を介して封口する際の段部としている。この凹部３６にＩＣタグ１を装着することができる。角形電池の場合では、封口板２２の下部は発電要素との間に空間があるので、その空間に対応する電池缶２１の上部位置に、図１に示すように、凹部２５を形成することができ、その凹部２５にＩＣタグ１を装着することができる。
【００３２】
前記凹部２５，３６にＩＣタグ１を装着するとき、金属製である電池缶２１，３１に形成した凹部２５，３６の深さ方向には磁界の減衰量が大きくなるため、ＩＣタグ１に設けられたアンテナとの通信の障害となる。しかし、金属表面と平行な方向には磁界の減衰は少ないため、図３（ａ）に示す第２の実施形態のように、電池缶２１，３１の外表面と面一となる位置より若干下回る位置にアンテナコイル１ａが存在するようにＩＣタグ１を装着すると、電磁誘導によりＩＣタグ１との通信距離を大きく確保することができる。電池缶２１，３１の周面は一般的には外装ラベル３７によって被覆されるので、凹部２５，３６に装着したＩＣタグは外装ラベル３７によって被覆保護される。
【００３３】
また、図3（ｂ）に示すように、外装ラベル３７の内面の凹部２５，３６に対応する位置にＩＣタグ１を貼着すると、外装ラベル３７の内面は電池缶２１，３１の外周面と面一なので、好適なＩＣタグ１の装着構造を得ることができる。
【００３４】
上述のように電池はほぼ全周が金属によって被覆されているので、電池に装着したＩＣタグ１とリーダ／ライタとの間の通信には不利な条件下にある。しかし、金属によって被覆されている構造を逆に利用し、ＩＣタグ１の通信を静電結合方式によって確保することができる。
【００３５】
図４は、第３の実施形態に係るＩＣタグの装着構造を示すもので、角形電池の電池缶１１を第１アンテナとし、電池缶１１を被覆する外装ラベル１３にアルミニウム蒸着により第２アンテナ１２を形成し、外装ラベル１３の樹脂層により第１アンテナである電池缶１１と第２アンテナ１２との間を絶縁している。電池缶１１と第２アンテナ１２は上記ＩＣタグ１の装着構造に示した場合と同様に凹部２５に装着したＩＣチップ１４に接続されている。前記外装ラベル１３は少なくとも２層構造の樹脂フィルムで、表面側のフィルムの内側に第２アンテナ１２を所定形状寸法に蒸着形成し、その上を裏面側のフィルムで被覆しており、裏面側のフィルムが電池缶１１との絶縁層となる。
【００３６】
前記第２アンテナ１２にプラスの電荷を与えたリーダ／ライタのアンテナを近づけると、第２のアンテナ１２にマイナスの電荷が誘起され、電池缶１１を接地させると、第１アンテナである電池缶１１と第２アンテナ１２との間に電位差が生じて電流が流れ、ＩＣチップ１４が作動するので、リーダ／ライタとＩＣタグ１との通信が可能となる。電池缶１１の接地は必ずしも接地電位ということではなく、人体などが触れることによっても接地と同様の効果が得られる。
【００３７】
尚、第１及び第２のアンテナの形成は、外装ラベル１３に両アンテナを形成し、一方のアンテナを接地する構造によっても静電結合方式による通信を行うことができる。
【００３８】
図５は、第４の実施形態に係るＩＣタグの装着構造を示すもので、ＩＣタグに対する金属の影響を軽減させた電池構造を有する。リチウム二次電池として構成された電池１６は、電池を外部短絡や異常温度上昇から保護するために、電池自体にＰＴＣ素子１７や温度ヒューズ１８を設けて構成されている。前記ＰＴＣ素子１７や温度ヒューズ１８を電池自体に取り付けるために、電池缶４１の開口部を閉じる封口板４２は電池缶４１の開口端より内側に向けて凹となるように形成されている。この封口板４２が形成する凹部内にＰＴＣ素子１７や温度ヒューズ１８が配設され、封口板４２上は正極端子１９及び負極端子２０を外部露出させて絶縁板２８によって被覆している。
【００３９】
前記絶縁板２８の内側に図示するようにＩＣタグ１を装着することにより、ＩＣタグ１は金属性である封口板４２や電池缶４１から充分な離隔距離を隔てて配置されることになり、金属による影響を軽減することができる。
【００４０】
電池に装着するＩＣタグ１をパッシブタグとした場合、金属で被覆されている電池ではアンテナに誘起する起電力が小さく、リーダ／ライタとの通信を確保し得る電力を得ることが困難で、上述したような金属面上へのＩＣタグ１の装着構造を必要とする。そこで、電池の電力をＩＣタグ１に供給してアクティブタグに構成するのが有効な手段となる。但し、ＩＣタグ１が電池に常時接続されていると僅かであるが電池電力の消費が伴うので、ＩＣタグ１にリーダ／ライタからアクセスがない状態では電池からの電力供給ルートを遮断する半導体スイッチを設けることが望ましい構成となる。
【００４１】
図６は、電池電力を作動電力として動作するＩＣタグ１０の構成を示すもので、パッシブタグにおいてリーダ／ライタから送出された電波からＩＣチップ４０が動作するための電力を再生する電源再生回路に代えてリーダ／ライタからの電波を受信することにより電池４７からの電力供給回路をＯＮに切り換える電源接続回路４６が設けられている。
【００４２】
上記ＩＣタグ１０はリーダ／ライタからのアクセスがない状態においては電源接続回路４６は電池４７との電源接続回路を遮断しているのでＩＣチップ４０は動作しない。従って、電池電力の消費は暗電流による僅少電力のみである。リーダ／ライタからのアクセスがあると、アンテナ４１に誘起される起電力により電源接続回路４６がＯＮとなり、電池４７からＩＣチップ４０に動作電力が供給されるので、ＩＣタグ１０はリーダ／ライタからの要求に応えて情報を発信することができる。
【００４３】
上記構成においては、ＩＣタグ１０を装着した電池４７から動作電力を得るので、金属で被覆された電池にＩＣタグ１０を装着することによる送受信電波の減衰を補う出力を得ることができる。但し、電池４７からＩＣタグ１０に暗電流が流れることによる電池４７の消耗が伴うので、本構成は電池単体で存在する場合には不適で、容量の大きい電池や機器に装着された状態にある電池とのアクセスに好適なものとなる。
【００４４】
電池は起電力が小さいので、比較的大きな電池電圧を要求する機器に対して１個の電池で要求される電池電圧に対応できるように複数の電池を直列接続して一体化したパック電池の形態のものがカメラ用電池などとして広く用いられている。一般的には、２個の円筒形リチウム一次電池を並列配置して電気的に直列接続し、出力電圧が６Ｖのパック電池としたものが多く使用されている。このパック電池は、図７（ａ）に示すように、２個の円筒形電池５１，５２を並列配置して電気的に直列接続し、少なくとも両端側を樹脂カバー５４，５５で被覆すると共に、上下の樹脂カバー５４，５５の間を連結部５８によって連結することにより２個の円筒形電池５１，５２を一体化したパック電池５０に形成されている。２個の円筒形電池５１，５２の間には一方の面にのみ凹部５３が形成されているので、カメラ等の機器の電池装填室に設けられた突出部が凹部５３に嵌り合うようにすることにより、正極端子５６と負極端子５７とが逆接続されることない。
【００４５】
このようなパック電池５０の場合では、２個の円筒形電池５１，５２の間に樹脂カバー５４，５５によって埋められる空間が形成されているので、図７（ｂ）に示すように、樹脂カバー５４，５５にＩＣタグ１を装着することにより、円筒形電池５１，５２の金属部分から離隔した部位にＩＣタグ１を装着することが可能となり、金属による影響を抑制したＩＣタグ１の装着構造を得ることができる。
【産業上の利用可能性】
【００４６】
以上の説明の通り本発明によれば、電池に装着したＩＣタグに所要の情報を記録することができるので、電池の製造から流通、使用に至る過程で必要に応じて必要な情報を読み出すことにより電池管理や仕分け等に有効に利用できる。また、電池が使用済みとなったときにはＩＣタグに記録された情報から種類別あるいは使用材料別に分別して有用金属の回収や有害物質の無害化処理などを的確に実施することができる。また、金属によってほぼ全周が被覆されている電池にＩＣタグを装着してもリーダ／ライタとのアクセスが可能となり、電池の製造、流通、使用、使用済み後の分別回収に至る所要情報を記録することができる。
【図面の簡単な説明】
【００４７】
【図１】第１の実施形態に係る電池に対するＩＣタグの装着構造を示す斜視図。
【図２】（ａ）は同上構成を円筒形電池に適用した例を示す断面図、（ｂ）は円筒形電池の上下に設けられた絶縁板にＩＣタグを装着した状態を示す断面図。
【図３】（ａ）は第２の実施形態に係る電池に対するＩＣタグの装着構造を示す部分断面図、（ｂ）は外装ラベルにＩＣタグを貼着した装着構造を示す部分断面図。
【図４】第３の実施形態に係る電池に対するＩＣタグの装着構造を示す斜視図。
【図５】第４の実施形態に係る電池に対するＩＣタグの装着構造を示す断面図。
【図６】第５の実施形態に係るＩＣタグの構成を示すブロック図。
【図７】第６の実施形態に係る電池に対するＩＣタグの装着構造を示す斜視図。
【符号の説明】
【００４８】
１，１０  ＩＣタグ
２，３  リチウムイオン二次電池
１１  電池缶（第１アンテナ）
１２  第２アンテナ
４、１３、３７  外装ラベル
１４  ＩＣチップ
１６  電池
２１，３１，４１  電池缶
２２，３２，４２  封口板
２３，３３  ガスケット
２５，３６  凹部
２８  絶縁板
３５  台座
５０  パック電池
５４，５５  絶縁カバー
【図１】
2006324074.tif 000003
【図２】
2006324074.tif 000004
【図３】
2006324074.tif 000005
【図４】
2006324074.tif 000006
【図５】
2006324074.tif 000007
【図６】
2006324074.tif 000008
【図７】
2006324074.tif 000009